(57)【特許請求の範囲】
【請求項１】
シートクッションの前面部分に脚載せとなるオットマン本体が収納展開可能に配設されたオットマン装置であって、
前記オットマン本体は、前記シートクッションにリンク機構を介して連結され、該リンク機構の駆動により前記シートクッションの前面部分に畳み込まれた収納位置と該収納位置から前記シートクッションの前方側へと展開して着座乗員の脚載せとして機能可能な状態となる脚載せ位置との間で収納展開されるものとされ、
更に、前記オットマン本体は、前記シートクッションの上面部に被覆される表皮が該オットマン本体の上面部にもかかるように被覆されていることで該シートクッションの上面部との間に形成される隙間が被覆された状態とされており、
前記リンク機構には、前記オットマン本体を前記脚載せ位置へ移動させることで該オットマン本体と前記シートクッションの前部との間に形成される側方の隙間を被覆する複数の板材から成るカバー部材が設けられており、これら複数のカバー部材は、前記リンク機構が前記オットマン本体を前記収納位置に畳み込む動作に従動して互いの板面を重合させるように動かされて小さく収納されるが、前記リンク機構が展開する動作に従動して前記隙間を被覆するように互いの重合した状態から展開される構成とされ、
更に、前記リンク機構には、該リンク機構に対して四節リンクの連結により前記いずれかのカバー部材と板面を重合させた状態と該重合状態から展開して前記複数のカバー部材と共に前記隙間を被覆した状態とをとることができるサブカバー部材が設けられており、該サブカバー部材は前記各カバー部材が重合されるのに合わせて前記いずれかのカバー部材に重合され前記リンク機構が展開し前記各カバー部材が展開する動作によって附勢により前記いずれかのカバー部材との重合状態から展開するように作動することを特徴とするオットマン装置。
【請求項２】
請求項１に記載のオットマン装置であって、
前記リンク機構は、一端が前記シートクッションの前面部分に回転可能にピン結合された主動リンクと、該主動リンクと前記オットマン本体との間に四節リンクを構成するように当該主動リンクと前記オットマン本体とにそれぞれ一端と他端とが回転可能にピン結合された二本の揺動リンクと、当該二本の揺動リンクのうちの一方と前記シートクッションの前面部分とをリンク連結しその回転により前記一方の揺動リンクを回転操作して前記リンク機構全体を回転作動させる操作リンクとを有し、該操作リンクはその一端が前記シートクッションの前面部分の前記主動リンクとの連結点よりも下方側の位置に回転可能にピン結合され、他端が前記一方の揺動リンクの前記主動リンクとの連結点よりも更にリンク長方向に延長して形成された部位に回転可能にピン結合され、前記オットマン本体を収納位置に畳み込んだ状態では前記シートクッションの前面部分に垂下した状態として前記リンク機構の各リンクと共に前記各カバー部材及び前記サブカバー部材を前記オットマン本体に形成された収納部内に畳んだ状態に保持し、駆動により前記シートクッションの前面部分から前方側へ起こし上げられることにより前記両揺動リンクをその回転方向とは逆方向に回転させて前記オットマン本体を前記脚載せ位置へと押送することを特徴とするオットマン装置。
【発明の詳細な説明】
【技術分野】
【０００１】
本発明は、オットマン装置に関する。詳しくは、シートクッションの前面部に配設されたオットマン本体が、このオットマン本体に連結された駆動手段によって、シートクッションの前面部分に畳み込まれた収納位置と、この収納位置からシートクッションの前方に分離移動した脚載せ位置と、の間で作動可能とされたオットマン装置に関する。
【背景技術】
【０００２】
一般に、車両用シートの脚載せ台として採用されるオットマン装置は、シートクッションの前面部に配設されている。詳しくは、オットマン装置は、板面形状を成すオットマン本体に駆動機構が連結された構成とされている。このオットマン本体は、通常、シートクッションの前面に形成された凹形状の収納部内に畳み込まれた状態として配置されている。そして、オットマン装置を使用する際には、駆動機構によって、オットマン本体を、上記した収納位置から前方に押し出して着座者の脚載せ台として機能可能な脚載せ位置まで移動させる。また、この移動とともに、オットマン本体を、収納位置における起立姿勢から着座者の下腿部を板面で支持可能な傾倒姿勢へと変化させるようにしている。
ここで、上記駆動機構の具体的な構成は、例えば後記特許文献１に開示されている。この開示では、脚載せ台たるオットマン本体に連結される駆動機構が、シートクッションの下部に配設された前後方向のスライド移動を伴うスライダリンク機構として構成されている。そして、オットマン本体は、スライダリンク機構の前後方向移動に伴って、上記収納位置と、この収納位置から前方に押し出されてシートクッションから分離移動した脚載せ位置と、の間で移動可能とされている。更に詳述すると、駆動機構は、上記の移動とともにオットマン本体を起立姿勢から傾倒姿勢へと姿勢変化させることの可能な四節リンク機構が組み込まれた構成とされている。この四節リンク機構は、上記オットマン本体の移動に伴って、四節リンクに囲まれた空間を開閉させる態様で運動を行う。したがって、このような開閉を伴う空間が形成されることにより、使用時に、誤って空間内に異物を挟み込んでしまうおそれが生じる。そこで、同開示では、この四節リンク間に形成される空間をカバーで被覆することにより、異物の挟み込みを防止するようにしている。
【特許文献１】特許第３４８９６６４号公報
【発明の開示】
【発明が解決しようとする課題】
【０００３】
しかしながら、上記した従来の技術では、四節リンク間に形成される空間に異物を挟み込むことを防止することはできたが、オットマン装置全体の構成としてみれば、その他にも挟み込みを生じ得る構成部位があり、その防止効果は局所的に発揮されるに留まるものであった。
具体的には、上記形態のオットマン装置では、オットマン本体は、駆動機構の作動に伴って、シートクッションの前面部分から前方に分離移動しながら着座者の脚載せに適した傾倒姿勢となる。したがって、オットマン本体とシートクッションとの上面部間には、その全体にわたって空間が形成されることとなる。更に、厳密に言えば、両者の側面部間においては、オットマン本体と四節リンク機構との間に空間が形成される他、この四節リンク機構とシートクッションとの間にも空間が形成されることとなる。
すなわち、上記従来の技術では、あくまで四節リンク機構のリンク間に異物が挟み込まれないようにすることを目的とするに留まるものであった。したがって、上記したようにオットマン本体とシートクッションとの間に空間が残存してしまう場合には、その空間からも異物が入り込んで挟み込まれるおそれがある。また、このように空間が外部に対して露出した状態の構成は、意匠性からみても見栄えが良いものとは言い難い。
【０００４】
本発明は、上記した問題を解決するものとして創案されたものであって、本発明が解決しようとする課題は、オットマン本体とシートクッションとの間に形成される空間をより好適に被覆できるようにすることにある。
【課題を解決するための手段】
【０００５】
上記課題を解決するために、本発明のオットマン装置は次の手段をとる。
先ず、第１の発明は、シートクッションの前面部分に脚載せとなるオットマン本体が収納展開可能に配設されたオットマン装置である。オットマン本体は、シートクッションにリンク機構を介して連結され、リンク機構の駆動によりシートクッションの前面部分に畳み込まれた収納位置と、この収納位置からシートクッションの前方側へと展開して着座乗員の脚載せとして機能可能な状態となる脚載せ位置と、の間で収納展開されるものとされている。更に、オットマン本体は、シートクッションの上面部に被覆される表皮がオットマン本体の上面部にもかかるように被覆されていることで、シートクッションの上面部との間に形成される隙間が被覆された状態とされている。リンク機構には、オットマン本体を脚載せ位置へ移動させることでオットマン本体とシートクッションの前部との間に形成される側方の隙間を被覆する、複数の板材から成るカバー部材が設けられている。これら複数のカバー部材は、リンク機構がオットマン本体を収納位置に畳み込む動作に従動して、互いの板面を重合させるように動かされて小さく収納されるが、リンク機構が展開する動作に従動して、上記隙間を被覆するように互いの重合した状態から展開される構成とされている。更に、リンク機構には、リンク機構に対して四節リンクの連結によりいずれかのカバー部材と板面を重合させた状態と、この重合状態から展開して複数のカバー部材と共に上記隙間を被覆した状態と、をとることができるサブカバー部材が設けられている。サブカバー部材は、各カバー部材が重合されるのに合わせて、上記いずれかのカバー部材に重合され、リンク機構が展開し各カバー部材が展開する動作によって附勢により上記いずれかのカバー部材との重合状態から展開するように作動する。
【０００６】
この第１の発明によれば、オットマン本体をリンク機構のリンク運動に伴って収納位置から脚載せ位置へと展開させることにより、オットマン本体とシートクッションの前面部分との間に側方の隙間が形成される。しかし、この隙間は、リンク機構に設けられた複数の板材から成るカバー部材がリンク機構の展開運動に伴って展開することにより被覆される。また、併せて、上記リンク機構に四節リンクの連結によって収納展開可能に設けられたサブカバー部材が上記展開に併せて附勢によりいずれかのカバー部材との重合状態から展開作動して、各カバー部材と共に上記隙間を被覆する。これにより、上記隙間が各カバー部材とサブカバー部材とによって広く覆われた状態となる。上記した各カバー部材は、リンク機構の収納運動により、互いの板面を重合させるように動かされて小さく収納される。また、併せて、上記サブカバー部材もその附勢に抗してカバー部材に重合されることで、サブカバー部材も小さく収納される。
【０００７】
次に、第２の発明は、上述した第１の発明において、リンク機構は、一端がシートクッションの前面部分に回転可能にピン結合された主動リンクと、主動リンクとオットマン本体との間に四節リンクを構成するようにこれら主動リンクとオットマン本体とにそれぞれ一端と他端とが回転可能にピン結合された二本の揺動リンクと、二本の揺動リンクのうちの一方とシートクッションの前面部分とをリンク連結しその回転により一方の揺動リンクを回転操作してリンク機構全体を回転作動させる操作リンクとを有する。操作リンクは、その一端がシートクッションの前面部分の主動リンクとの連結点よりも下方側の位置に回転可能にピン結合され、他端が一方の揺動リンクの主動リンクとの連結点よりも更にリンク長方向に延長して形成された部位に回転可能にピン結合され、オットマン本体を収納位置に畳み込んだ状態では、シートクッションの前面部分に垂下した状態としてリンク機構の各リンクと共に各カバー部材及びサブカバー部材をオットマン本体に形成された収納部内に畳んだ状態に保持し、駆動によりシートクッションの前面部分から前方側へ起こし上げられることにより両揺動リンクをその回転方向とは逆方向に回転させてオットマン本体を脚載せ位置へと押送する。
【０００８】
この第２の発明によれば、操作リンクがシートクッションの前面部分に垂下した状態では、リンク機構の各リンクは、各カバー部材とサブカバー部材と共にオットマン本体に形成された収納部内に畳まれた状態となって保持される。そして、操作リンクが駆動によりシートクッションの前方側へ起こし上げられるように回転操作されることにより、この操作リンクに連結された一方の揺動リンクが回転操作されて、この揺動リンクを一節とする四節リンク全体がリンク運動する。具体的には、両揺動リンクが操作リンクとは逆方向に回転操作されてオットマン本体を前方側の脚載せ位置へと押送する。また、操作リンクが上記展開状態からシートクッションの前面部分へと倒し込まれることにより、上記両揺動リンクがこれと逆方向に回転し、操作リンクと重なる方向に戻される。
【発明の効果】
【０００９】
本発明は上述した手段をとることにより、次の効果を得ることができる。
先ず、第１の発明によれば、オットマン本体を収納位置と脚載せ位置との間で移動させるリンク機構に、互いの板面を重合させたり展開させたりすることのできる複数のカバー部材を設けたことにより、収納時にはコンパクトに収められ、かつ、展開時にはオットマン本体とシートクッションとの間に形成される側方の隙間を展開して広く被覆した状態とすることのできる構成を得ることができる。また、上記リンク機構に四節リンクの連結によってサブカバー部材を設定し、サブカバー部材をいずれかのカバー部材に対して収納展開させられるようにしたことにより、リンク機構の動きとは独立して自由に動くサブカバー部材を設定することができ、上記側方の隙間をより好適に覆うことができる。
更に、第２の発明によれば、オットマン本体の収納時にはシートクッションの前面部分においてオットマン本体に形成された収納部内に各カバー部材及びサブカバー部材と共に畳まれた状態に保持され、そのリンク運動によってオットマン本体を脚載せ位置へと展開移動させることのできるリンク機構を、主動リンクと二本の揺動リンクと操作リンクとを用いた構成によって具現化することができる。
【発明を実施するための最良の形態】
【００１０】
以下に、本発明を実施するための最良の形態の実施例について、図面を用いて説明する。
図１〜図４は、本実施例のオットマン装置１の一実施例を示すものである。図１は脚載せ位置におけるオットマン装置１の構成を側面視して表した図、図２は収納位置におけるオットマン装置１の構成を側面視して表した図、図３は収納時のカバー部材４０及びサブカバー部材５０の位置を表す図、図４はオットマン本体１０及び駆動部２０の部分拡大斜視図である。なお、図１及び図２では、紙面内左方向が車両前方向として表されている。また、以下の説明文中、シートクッション３０の構成については、図１や図２を適宜参照するものとする。
本実施例のオットマン装置１は、図１及び図２に良く示されるように、車両用シートのシートクッション３０の前面部分３１に配設されている。また、オットマン装置１は、着座者の脚載せ台として機能するオットマン本体１０と、このオットマン本体１０を収納位置（図１に２点鎖線で示される位置）と脚載せ位置（図１に実線で示される位置）との間で移動させるべくオットマン本体１０に連結された駆動部２０と、を備えている。詳しくは、オットマン本体１０は、通常、シートクッション３０の前面部分３１に形成された凹形状の収納部３２内に畳み込まれた状態位置（以下、収納位置）に配置されている（図２参照）。なお、シートクッション３０及び収納部３２の構成については、公知のものであるため、説明を省略する。そして、使用時には、駆動部２０を作動させることによって、オットマン本体１０が、上記シートクッション３０の収納位置から前方に押し出されて、着座者の脚載せ台として好適な脚載せ位置（図１参照）まで分離移動するようになっている。
また、オットマン装置１は、図１に良く示されるように、上記オットマン本体１０をシートクッション３０の収納位置から脚載せ位置に分離移動させた際に、このオットマン本体１０の上面部１１とシートクッション３０の上面部３３との間、及びオットマン本体の側面部１２とシートクッション３０の側面部３４との間に形成される空間がそれぞれ被覆される構成とされている。具体的には、図１に良く示されるように、前者の上面部１１，３３間に形成される空間は、この上面部１１，３３間に架け渡された表皮３５によって被覆されるようになっている。また、後者の側面部１２，３４間に形成される空間は、駆動部２０に取付けられた合成樹脂製のカバー部材４０及びサブカバー部材５０がオットマン本体１０の分離移動に伴ってこの空間位置に配置されることによって被覆されるようになっている。
以下、オットマン装置１の各部の構成を詳細に説明する。
【００１１】
先ず、オットマン本体１０は、図４に良く示されるように、その外枠となる部分に門型状の支持フレーム１３が組み付けられており、全体が板面状に形成されている。そして、オットマン本体１０は、図１に良く示されるように、シートクッション３０の前面部分３１に形成された凹形状の収納部３２内に略収納される大きさ形状として形成されている。また、上記支持フレーム１３の両側部には、後述する駆動部２０が連結されている。これにより、オットマン本体１０は、駆動部２０の作動によって、前述した収納位置（図２参照）と脚載せ位置（図１参照）との間で移動可能とされている。
また、図１に良く示されるように、支持フレーム１３には、クッション部材たるウレタンパッド１４が組み付けられている。詳しくは、ウレタンパッド１４は、着座者の脚載せ面となる表側面１４ａは略面一状に形成されているが、裏側面１４ｂには凹形状の収納部１５が形成されている。この収納部１５は、図３に良く示されるように、オットマン本体１０を収納位置に畳み込んだ際に、駆動部２０を畳み込んだ状態として収納することのできる大きさ形状として形成されている。また、図３に良く示されるように、上記凹形状の収納部１５には、後述するカバー部材４０の第１カバー体４１が固着された状態として配設されている。
【００１２】
次に、駆動部２０は、図１及び図２に良く示されるように、シートクッション３０に対し、収納部３２内の位置に取付けられている。詳しくは、駆動部２０は、図４に良く示されるように、オットマン本体１０を左右一対で連結支持するリンク機構２１と、図示しないボルト等の締結手段によってシートクッション３０側に取付けられる取付部位２３ａを有したベース部材２３と、リンク機構２１をベース部材２３に対して軸支する支軸２２と、を備えている。また、リンク機構２１には、図示しない電動モータ等の駆動源が連結されている。
詳しくは、ベース部材２３の取付部位２３ａは、シートクッション３０側に固設された取付ブラケット（図示省略）に取付けられている。この取付ブラケットは、例えばシートクッション３０のスライドレール等の部材に溶着されており、取付部位２３ａに対する取付部がシートクッション３０の収納部３２内の上部位置（図１参照）まで張り出した形状として形成されている。
また、図４に良く示されるように、リンク機構２１は、前述した駆動源（図示省略）に連結されると共に、支軸２２によりベース部材２３に対してピン結合されている。詳しくは、リンク機構２１は、図２及び図３に良く示されるように、オットマン本体１０が収納位置に畳み込まれた状態では、駆動部２０全体をオットマン本体１０に形成された収納部１５内に収納すべく、このリンク機構２１を構成する各リンクの板面を重合させた畳込状態となる。そして、リンク機構２１は、上記畳込状態から前方に回動駆動されることによって、各リンクをシートクッション３０の前面部分３１から前方に突出させて展開させながら、オットマン本体１０を脚載せ位置へと分離移動させる。
【００１３】
具体的に説明すると、リンク機構２１は、図１に良く示されるように、支軸２２に対してピン結合された主動リンク２１ａと、この主動リンク２１ａとオットマン本体１０の支持フレーム１３とをピン結合して四節リンクを構成する揺動リンク２１ｂ，２１ｃと、一方の揺動リンク２１ｃにピン結合されてこれら揺動リンク２１ｂ，２１ｃを揺動操作する操作リンク２１ｄと、を備えている。詳しくは、揺動リンク２１ｂ，２１ｃは、主動リンク２１ａの他端部位側において、この主動リンク２１ａと支持フレーム１３とをそれぞれピン結合している。また、一方の揺動リンク２１ｃは、上記主動リンク２１ａとのピン結合位置よりも更に延長された形状とされている。次いで、操作リンク２１ｄは、一端側部位がベース部材２３における上記主動リンク２１ａのピン結合位置よりも下部位置でピン結合されており、他端側部位が上記一方の揺動リンク２１ｃの延長された部位にピン結合されている。また、操作リンク２１ｄは、図示しない駆動源と連結されており、前方に向けて回動駆動されるようになっている。
このような構成のリンク機構２１は、操作リンク２１ｄを図２に示される収納位置から前方に回動させることによって、主動リンク２１ａ及び揺動リンク２１ｂ，２１ｃを前方に揺動させて展開する。これにより、オットマン本体１０を、シートクッション３０の収納位置における起立姿勢から表側面１４ａを上方に向けた傾倒姿勢へと変化させながら、図１に示される脚載せ位置に向けて前方かつ上方へと分離移動させる。詳しくは、オットマン本体１０を、主動リンク２１ａとの重合状態位置から展開させて分離移動させる。また、オットマン本体１０を脚載せ位置から収納位置へと畳み込む際には、操作リンク２１ｄを後方（引き下げ方向）に向けて回動駆動させる。これにより、オットマン本体１０を先ほどの展開方向とは逆方向に移動させ、主動リンク２１ａに板面を重合させた状態として収納位置に畳み込まれる。このとき、オットマン本体１０を回動可能に支持する揺動リンク２１ｂ，２１ｃは、引き下げ方向に回動する主動リンク２１ａに対して、オットマン本体１０とのピン結合位置を相対的に引き上げるように作動する。これにより、オットマン本体１０は、上記のような前方かつ上方の脚載せ位置に移動可能であるにもかかわらず、収納時にはシートクッション３０の収納部３２内に好適に収納されるようになっている。
【００１４】
次に、カバー部材４０は、図１に良く示されるように、オットマン本体１０の裏側面１４ｂに固着された第１カバー体４１と、リンク機構２１の主動リンク２１ａに取付けられた第２カバー体４２と、操作リンク２１ｄに取付けられた第３カバー体４３と、を備えている。
詳しくは、第１カバー体４１は、図３に良く示されるように、オットマン本体１０の収納部１５の形状に沿って形成されており、収納部１５全体を裏面側から被覆している。また、図１に良く示されるように、第１カバー体４１の前端部位４１ａには、シートクッション３０からオットマン本体１０の上面部１１に架け渡された表皮３５が折り込まれた状態として結着されている。更に、図３に良く示されるように、第１カバー体４１の両側端部位４１ｂには、シートクッション３０からオットマン本体１０の側面部１２に架け渡された表皮３５が折り込まれた状態として結着されている。
次いで、第２カバー体４２は、図１に良く示されるように、主動リンク２１ａの両外側面に対し、この主動リンク２１ａと板面を重合させた状態として一体的に取付けられている。詳しくは、第２カバー体４２は、主動リンク２１ａよりもひと回り大きな形状とされており、例えば主動リンク２１ａと一体的に取付けられた取付用ブラケット（図示省略）に対してビス等の締結手段（図示省略）が複数の位置に施されて締結されている。また、第２カバー体４２は、支軸２２に対してピン結合されており、主動リンク２１ａと共に支軸２２まわりに回動可能とされている。したがって、オットマン本体１０を脚載せ位置に移動させることにより、この第２カバー体４２が主動リンク２１ａに従動して展開し、側面部１２，３４間のうち主動リンク２１ａ及びそのまわりの部分を被覆する。また、第２カバー体４２は、図３に良く示されるように、オットマン本体１０が収納位置に畳み込まれた状態時には、第１カバー体４１よりも内側の位置に配置され、他部材と干渉しない収納状態となる大きさ形状とされている。
次いで、第３カバー体４３は、図１に良く示されるように、操作リンク２１ｄの両外側面に対し、この操作リンク２１ｄと板面を重合させた状態として一体的に取付けられている。詳しくは、第３カバー体４３は、操作リンク２１ｄよりもひと回り大きな形状とされており、例えば操作リンク２１ｄのピン結合部位に対してカシメが施されて一体的に固定されている。したがって、オットマン本体１０を脚載せ位置に移動させることにより、この第３カバー体４３が操作リンク２１ｄに従動して展開し、側面部１２，３４間のうち操作リンク２１ｄ及びそのまわりの部分を被覆する。また、第３カバー体４３は、図３に良く示されるように、オットマン本体１０が収納位置に畳み込まれた状態時には、第２カバー体４２よりも内側の位置に配置され、他部材と干渉しない収納状態となる大きさ形状とされている。また、第３カバー体４３は、下側の部分が内側に向けて折り曲げられた断面Ｌ字形状に形成されており、このＬ字の底面部分によってリンク機構２１を底面側から被覆している。更に、上記底面部分には、操作リンク２１ｄを板厚方向に挟み込む形に２本のリブ（図示省略）が形成されている。これにより、第３カバー体４３の操作リンク２１ｄに対する板厚方向への移動が規制されている。
すなわち、上記カバー部材４０の各部は、互いに板厚方向に段違いに配置されており、オットマン本体１０が収納位置に畳み込まれることにより、相互の板面を重合させた畳込状態となって他部材との干渉を回避した状態でオットマン本体１０の収納部１５内に収納される。
【００１５】
次いで、サブカバー部材５０は、図１に良く示されるように、前述した第２カバー体４２に対し、一対の揺動リンク６１，６２によりピン結合されて四節リンクを構成する連結状態とされている。詳しくは、サブカバー部材５０は、例えば一対の揺動リンク６１，６２にピン結合した取付用ブラケット（図示省略）に対してビス等の締結手段（図示省略）が複数の位置に施されて締結されている。なお、第２カバー体４２には、上記揺動リンク６１，６２の揺動を可能とする案内溝（図示省略）が形成されている。また、上記取付用ブラケットには、第２カバー体４２に一端側部位が固定された捩りばね部材６３の他端側部位が取付けられており、この捩りばね部材６３のばね力によって、第２カバー体４２に対して離反する方向に回動附勢されている。したがって、この取付用ブラケットと一体的とされたサブカバー部材５０は、上記四節リンクを倒伏させた状態（同図の２点鎖線で示した位置状態）では、第２カバー体４２と板面を重合させた畳込状態となる。そして、サブカバー部材５０は、捩りばね部材６３のばね力によって四節リンクを起立させることにより、サブカバー部材５０全体が第２カバー体４２から板面方向に離間移動して被覆状態位置に配置される。なお、捩りばね部材６３は、サブカバー部材５０を図１で示す離反位置まで移動させるべく予め捩り込まれた状態として配設されている。ここで、捩りばね部材６３が本発明のばね部材に相当する。
また、サブカバー部材５０は、図１に良く示されるように、オットマン本体１０を脚載せ位置に移動させた状態で、第１カバー体４１と第２カバー体４２との間に形成される空間（隙間）を被覆可能な形状とされている。そして、図３に良く示されるように、サブカバー部材５０は、オットマン本体１０が収納位置に畳み込まれた状態時には、第１カバー体４１と第２カバー体４２との間位置に配置され、他部材と干渉しない収納状態となる大きさ形状とされている。詳しくは、サブカバー部材５０は以下のようにして収納位置に畳み込まれる。すなわち、オットマン本体１０を収納位置に畳み込むべく操作リンク２１ｄを後方に向けて回動駆動させると、離反位置にあるサブカバー部材５０は、オットマン本体１０が収納位置に向けて移動することにより、第１カバー体４１の裏側面に当接する。更に、オットマン本体１０が移動し第１カバー体４１の裏側面がサブカバー部材５０を押すことにより、ばね部材６３を縮めていき、サブカバー部材５０は第２カバー体４２に重複する位置に収納される。
【００１６】
続いて、本実施例のオットマン装置１の使用方法について説明する。
先ず、オットマン本体１０が図２に示される収納位置に畳み込まれた状態で、リンク機構２１の操作リンク２１ｄ（図１参照）を前方に向けて回動駆動させる。これにより、オットマン本体１０は、図１に良く示されるように、リンク機構２１が展開する動作に押動されて、シートクッション３０の収納位置における起立姿勢から表側面１４ａを上方に向けた傾倒姿勢へと姿勢変化させながら、脚載せ位置へと分離移動する。そして、この動作に伴って、上面部１１，３３間に架け渡された表皮３５が張出される。また、オットマン本体１０やリンク機構２１に取付けられたカバー部材４０及びサブカバー部材５０も従動し、リンク機構２１と共に展開した位置に配置される。これにより、上面部１１，３３間及び側面部１２，３４間の空間がそれぞれ被覆された状態となる。
また、オットマン本体１０を上記脚載せ位置から収納位置へと畳み込む場合には、同操作リンク２１ｄを後方に向けて回動駆動させる。これにより、オットマン本体１０は、リンク機構２１と共に収納位置へと畳み込まれる。このとき、オットマン本体１０は、離反位置にあるサブカバー部材５０を第２カバー体４２に向けて接近させる方向に押動しながら収納される。そして、オットマン本体１０が収納位置に畳み込まれることにより、駆動部２０、カバー部材４０、及びサブカバー部材５０が相互に板面を重合させて互いに干渉しない収納状態（図３参照）として、オットマン本体１０の収納部１５内に収納される。
【００１７】
このように、本実施例のオットマン装置１によれば、上面部１１，３３間に架け渡された表皮３５や、リンク機構２１に取付けられたカバー部材４０及びサブカバー部材５０が相まって、脚載せ位置に分離移動したオットマン本体１０とシートクッション３０との間に形成される空間を好適に被覆することができる。また、オットマン本体１０を収納位置に畳み込む際には、カバー部材４０及びサブカバー部材５０を相互に重合させた畳込状態として他部材と干渉させることなく収納することができる。更に、本実施例のように、駆動部２０がオットマン本体１０の収納部１５内に収納可能なコンパクト設計とされている場合にも、カバー部材４０及びサブカバー部材５０をリンク機構２１に従動させて重合状態から好適に展開させることができる。したがって、オットマン本体１０の収納空間をコンパクトに設計することができる。また、第２カバー体４２から展開するサブカバー部材５０によって、カバー部材４０とは異なる空間を被覆することができる。したがって、例えば駆動部２０の収納空間や作動領域等の制約によってカバー部材４０の大きさ形状が制限される場合にも、サブカバー部材５０によって、より広く空間を被覆することができる。更に、サブカバー部材５０は、第２カバー体４２に対して四節リンクを成す連結状態とされており、形状全体を第２カバー体４２から離間移動させる態様で運動させることができる。したがって、サブカバー部材５０の被覆効果を好適に発揮させることができる。
【００１８】
以上、本発明の実施形態を一実施例について説明したが、本発明は上記実施例のほか各種の形態で実施できるものである。
先ず、サブカバー部材５０が第２カバー体４２に対して四節リンクを成す連結状態とされたものを示したが、例えば図５に示されるように、サブカバー部材５１の一端側部位を駆動部２０の支軸２４に対して回動可能に連結し他端側部位をスライド機構７０により第２カバー体４４に対して板面方向にスライド移動可能に構成したものであってもよい。そして、サブカバー部材５１と第２カバー体４４とをばね部材７１によって展開方向に附勢可能に連結することにより、実施例で示したようにサブカバー部材５１を第２カバー体４４から展開させることができる。しかし、この場合には、サブカバー部材５１が第２カバー体４４から部分的にしか離間移動しないため、被覆可能な領域が小さくなることに留意が必要である。
また、サブカバー部材５０が第２カバー体４２に対して図１に示される紙面内上方に離間移動するように構成したものを示したが、リンク機構の構成等、使用目的に応じてその他の方向に離間移動するようにしてもよい。また、サブカバー部材５０は必ずしも第２カバー体４２に連結されている必要はなく、使用目的に応じて他のカバー部材或いはカバー部材以外の部材から展開（離間移動）するように構成したものであってもよい。
【図面の簡単な説明】
【００１９】
【図１】脚載せ位置におけるオットマン装置の構成を側面視して表した図である。
【図２】収納位置におけるオットマン装置の構成を側面視して表した図である。
【図３】収納時のカバー部材及びサブカバー部材の位置を表す図である。
【図４】オットマン本体及び駆動部の部分拡大斜視図である。
【図５】他の実施形態のオットマン装置の構成を側面視して表した図である。
【符号の説明】
【００２０】
１      オットマン装置
１０    オットマン本体
１１    上面部
１２    側面部
１３    支持フレーム
１４    ウレタンパッド
１４ａ  表側面
１４ｂ  裏側面
１５    収納部
２０    駆動部
２１    リンク機構
２１ａ  主動リンク
２１ｂ  揺動リンク
２１ｃ  揺動リンク
２１ｄ  操作リンク
２２，２４  支軸
２３    ベース部材
２３ａ  取付部位
３０    シートクッション
３１    前面部分
３２    収納部
３３    上面部
３４    側面部
３５    表皮
４０    カバー部材
４１    第１カバー体
４１ａ  前端部位
４１ｂ  側端部位
４２，４４  第２カバー体
４３    第３カバー体
５０，５１  サブカバー部材
６１    揺動リンク
６２    揺動リンク
６３    捩りばね部材（ばね部材）
７０    スライド機構
７１    ばね部材
【図１】
0004501727.tif 000002
【図２】
0004501727.tif 000003
【図３】
0004501727.tif 000004
【図４】
0004501727.tif 000005
【図５】
0004501727.tif 000006